【手続補正書】
【提出日】平成18年3月13日(2006.3.13)
【手続補正１】
【補正対象書類名】明細書
【補正対象項目名】発明の名称
【補正方法】変更
【補正の内容】
【発明の名称】符号化装置および方法
【手続補正２】
【補正対象書類名】明細書
【補正対象項目名】特許請求の範囲
【補正方法】変更
【補正の内容】
【特許請求の範囲】
【請求項１】  入力されたｂビットのデータを、（ｂ＋１）ビットの外符号に変換する第１の変換手段と、
前記第１の変換手段により変換された前記外符号をインタリーブするインタリーブ手段と、
前記インタリーブ手段によりインタリーブされた、前記第１の変換手段により変換された（ｂ＋１）ビットの前記外符号を、（ｂ＋１）ビット以下のビット数の内符号に変換する第２の変換手段と、
前記第２の変換手段により変換された前記内符号を、所定の変調方式の１個の伝送シンボルにマッピングするマッピング手段と
を備えることを特徴とする符号化装置。
【請求項２】  前記第１の変換手段に入力されたｂビットのデータのうち、所定のビットのデータを０に固定し、
前記第２の変換手段に入力される、前記インタリーブ手段によりインタリーブされた（ｂ＋１）ビットの前記外符号のうち、所定のビットを０の値に固定する
ことを特徴とする請求項１に記載の符号化装置。
【請求項３】  前記第１の変換手段により変換された、（ｂ＋１）ビットの前記外符号のうち、所定のビットを０に固定し、
前記第２の変換手段により変換された、（ｂ＋１）ビットまたはそれ以下のビットの前記内符号のうち、所定のビットのデータを０に固定
することを特徴とする符号化装置。
【請求項４】  入力されるｂビットのデータを、（ｂ＋１）ビットの外符号に変換する第１の変換ステップと、
前記第１の変換ステップで変換された、前記外符号をインタリーブするインタリーブステップと、
前記インタリーブステップでインタリーブされた、前記第１の変換ステップで変換された（ｂ＋１）ビットの前記外符号を、（ｂ＋１）ビット以下のビット数の内符号に変換する第２の変換ステップと、
前記第２の変換ステップで変換された、前記内符号を、所定の変調方式の１個の伝送シンボルにマッピングするマッピングステップと
を含むことを特徴とする符号化方法。
【請求項５】  先頭に配置された畳み込み符号化部および最後に配置された畳み込み符号化部とを含む少なくとも２個の畳み込み符号化部、並びに各畳み込み符号化部の間に配置された少なくとも１個のインタリーブ部とを有し、入力されたデータが、前記先頭に配置された畳み込み符号化部から各インタリーブ部と各畳み込み符号化部に順次入力されるようになされた縦列連接符号化手段と、
前記縦列連接符号化手段の出力を多値変調する多値変調手段と
を備え、
少なくとも１つの前記畳み込み符号化部の符号化率を１以上とする
ことを特徴する符号化装置。
【請求項６】  前記先頭に配置された畳み込み符号化部は、１未満の符号化率で畳み込み符号化処理を実行する
ことを特徴とする請求項５に記載の符号化装置。
【請求項７】  入力された信号を第１の符号化率で畳み込み符号化して第１の畳み込み符号化信号を出力する第１の畳み込み符号化ステップと、
入力された信号に対して自然数Ｍ回の信号処理を行う信号処理ステップとを有し、
前記自然数Ｍ回の各回の前記信号処理ステップは、
入力された信号に対してインタリーブ処理をするインタリーブ処理ステップと、
前記インタリーブ処理ステップでの処理結果に対して第２の符号化率で畳み込み符号化を行い、第２の畳み込み符号化信号を出力する第２の畳み込み符号化ステップとからなり、
前記信号処理ステップへの前記自然数Ｍ回のうちの第１回目の入力された信号は、前記第１の畳み込み符号化信号であり、前記自然数Ｍ回のうちの第２回目以降の入力された信号は、前記第２の畳み込み符号化信号であるとともに、
前記第１の符号化率および前記第２の符号化率の少なくとも１つの値は、１以上である
ことを特徴とする符号化方法。
【請求項８】  前記第２の符号化率は、前記自然数Ｍ毎に異なる値であることを特徴とする請求項７に記載の符号化方法。
【請求項９】  前記第１の符号化率は、１以上の値である
ことを特徴とする請求項７に記載の符号化方法。
【手続補正３】
【補正対象書類名】明細書
【補正対象項目名】０００１
【補正方法】変更
【補正の内容】
【０００１】
【発明の属する技術分野】
本発明は、符号化装置および方法に関し、特に、構成を複雑にすることなく、縦列連接符号化と多値変調を利用した符号化ができるようにし、そしてそれにより符号化されたデータを復号することができるようにした符号化装置および方法に関する。
【手続補正４】
【補正対象書類名】明細書
【補正対象項目名】００７１
【補正方法】変更
【補正の内容】
【００７１】
【課題を解決するための手段】
請求項１に記載の符号化装置は、入力されたｂビットのデータを、（ｂ＋１）ビットの外符号に変換する第１の変換手段と、第１の変換手段により変換された外符号をインタリーブするインタリーブ手段と、インタリーブ手段によりインタリーブされた、第１の変換手段により変換された（ｂ＋１）ビットの外符号を、（ｂ＋１）ビット以下のビット数の内符号に変換する第２の変換手段と、第２の変換手段により変換された内符号を、所定の変調方式の１個の伝送シンボルにマッピングするマッピング手段とを備えることを特徴とする。
【手続補正５】
【補正対象書類名】明細書
【補正対象項目名】００７５
【補正方法】削除
【補正の内容】
【手続補正６】
【補正対象書類名】明細書
【補正対象項目名】００７６
【補正方法】変更
【補正の内容】
【００７６】
請求項１に記載の符号化装置、および請求項４に記載の符号化方法においては、入力されるｂビットのデータが、（ｂ＋１）ビットの外符号に変換され、変換された外符号がインタリーブされ、インタリーブされた、変換された（ｂ＋１）ビットの外符号が、（ｂ＋１）ビット以下のビット数の内符号に変換され、変換された、内符号が、所定の変調方式の１個の伝送シンボルにマッピングされる。
【手続補正７】
【補正対象書類名】明細書
【補正対象項目名】００７７
【補正方法】変更
【補正の内容】
【００７７】
請求項５に記載の符号化装置は、先頭に配置された畳み込み符号化部および最後に配置された畳み込み符号化部とを含む少なくとも２個の畳み込み符号化部、並びに各畳み込み符号化部の間に配置された少なくとも１個のインタリーブ部とを有し、入力されたデータが、先頭に配置された畳み込み符号化部から各インタリーブ部と各畳み込み符号化部に順次入力されるようになされた縦列連接符号化手段と、縦列連接符号化手段の出力を多値変調する多値変調手段とを備え、少なくとも１つの畳み込み符号化部の符号化率を１以上とすることを特徴する。
【手続補正８】
【補正対象書類名】明細書
【補正対象項目名】００７８
【補正方法】変更
【補正の内容】
【００７８】
請求項６に記載の符号化装置は、先頭に配置された畳み込み符号化部は、１未満の符号化率で畳み込み符号化処理を実行することができる。
【手続補正９】
【補正対象書類名】明細書
【補正対象項目名】００７９
【補正方法】変更
【補正の内容】
【００７９】
請求項５に記載の符号化装置においては、先頭に配置された畳み込み符号化部および最後に配置された畳み込み符号化部とを含む少なくとも２個の畳み込み符号化部、並びに各畳み込み符号化部の間に配置された少なくとも１個のインタリーブ部とを有し、入力されたデータが、先頭に配置された畳み込み符号化部から各インタリーブ部と各畳み込み符号化部に順次入力され、縦列連接符号化手段の出力が多値変調され、少なくとも１つの畳み込み符号化部の符号化率が１以上である。
【手続補正１０】
【補正対象書類名】明細書
【補正対象項目名】００８０
【補正方法】変更
【補正の内容】
【００８０】
請求項７に記載の符号化方法は、入力された信号を第１の符号化率で畳み込み符号化して第１の畳み込み符号化信号を出力する第１の畳み込み符号化ステップと、入力された信号に対して自然数Ｍ回の信号処理を行う信号処理ステップとを有し、自然数Ｍ回の各回の信号処理ステップは、入力された信号に対してインタリーブ処理をするインタリーブ処理ステップと、インタリーブ処理ステップでの処理結果に対して第２の符号化率で畳み込み符号化を行い、第２の畳み込み符号化信号を出力する第２の畳み込み符号化ステップとからなり、信号処理ステップへの自然数Ｍ回のうちの第１回目の入力された信号は、第１の畳み込み符号化信号であり、自然数Ｍ回のうちの第２回目以降の入力された信号は、第２の畳み込み符号化信号であるとともに、第１の符号化率および第２の符号化率の少なくとも１つの値は、１以上であることを特徴とする。
【手続補正１１】
【補正対象書類名】明細書
【補正対象項目名】００８１
【補正方法】変更
【補正の内容】
【００８１】
請求項８に記載の符号化方法は、第２の符号化率は、自然数Ｍ毎に異なる値であるようにすることができる。
【手続補正１２】
【補正対象書類名】明細書
【補正対象項目名】００８２
【補正方法】変更
【補正の内容】
【００８２】
請求項９に記載の符号化方法は、第１の符号化率は、１以上の値であるようにすることができる。
【手続補正１３】
【補正対象書類名】明細書
【補正対象項目名】００８３
【補正方法】削除
【補正の内容】
【手続補正１４】
【補正対象書類名】明細書
【補正対象項目名】００８４
【補正方法】変更
【補正の内容】
【００８４】
請求項７に記載の符号化方法においては、入力された信号が第１の符号化率で畳み込み符号化され第１の畳み込み符号化信号として出力され、入力された信号に対して自然数Ｍ回の信号処理が行われ、自然数Ｍ回の各回の信号処理において、入力された信号に対してインタリーブ処理が行われ、インタリーブ処理結果に対して第２の符号化率で畳み込み符号化が行われ、第２の畳み込み符号化信号が出力され、自然数Ｍ回のうちの第１回目の入力された信号が、第１の畳み込み符号化信号であり、自然数Ｍ回のうちの第２回目以降の入力された信号が、第２の畳み込み符号化信号であるとともに、第１の符号化率および第２の符号化率の少なくとも１つの値が、１以上である。
【手続補正１５】
【補正対象書類名】明細書
【補正対象項目名】０１３６
【補正方法】変更
【補正の内容】
【０１３６】
【発明の効果】
請求項１に記載の符号化装置、および請求項４に記載の符号化方法によれば、（ｂ＋１）ビットの外符号を、（ｂ＋１）ビット以下のビット数の内符号に変換するようにしたので、復号装置の構成を簡単にすることができる。
【手続補正１６】
【補正対象書類名】明細書
【補正対象項目名】０１３７
【補正方法】変更
【補正の内容】
【０１３７】
請求項５に記載の符号化装置、および請求項７に記載の符号化方法によれば、少なくとも１回は、１以上の符号化率で畳み込み符号化処理を施すようにしたので、復号装置の構成を簡単にすることができる。